(57)【要約】      （修正有）【課題】挿入した抽斗を挿入した順番に取り出すことが可能な、箪笥などの収容器を提供する。【解決手段】上下方向に直接重ねられた３段以上の抽斗６と、重ねられた状態の前記３段以上の抽斗６の少なくとも上面、側面、背面及び正面を覆う筐体１を設け、筺体１の前面板２の上下の端部に、それぞれ、抽斗挿入用第一の開口部４と抽斗引き出し用第二の開口部５を設ける。更に、抽斗６のそれぞれには、その側面の上端部に奥行き方向に延びる抽斗スライド用嵌合溝７と、その側面の下端部に奥行き方向に延び且つ上段の抽斗６の前記抽斗スライド用嵌合溝７と嵌合する抽斗スライド用嵌合突起８とを備える。【選択図】図１
2011104314.tif 000002
【特許請求の範囲】
【請求項１】
上下方向に直接重ねられた３段以上の抽斗と、重ねられた状態の前記３段以上の抽斗の少なくとも上面、側面、背面及び正面を覆う筐体と備え、前記筐体は、その前面の上端部に一つの抽斗を出し入れ可能な第一の開口部と、その前面下端部に一つの抽斗を出し入れ可能な第二の開口部とを有し、最上段の抽斗及び最下段の抽斗を除く残りの抽斗の前面を覆うことを特徴とする収容器。
【請求項２】
前記筺体の少なくとも一つの側面の全面を開放することにより、収容し得る抽斗全数の出し入れが可能であることを特徴とする、請求項１に記載の収容器。
【請求項３】
前記３段以上の抽斗のそれぞれは、その側面の上端部に奥行き方向に延びる溝と、その側面の下端部に奥行き方向に延び且つ上段の抽斗の前記溝と嵌合する嵌合突起とを備えることを特徴とする、請求項１に記載の収容器。
【発明の詳細な説明】
【技術分野】
【０００１】  本発明は、衣装ケースや箪笥、物品整理棚などの収容器に関し、特に上下方向に直接重ねられた３段以上の抽斗を収容可能で、例えば日常使用するワイシャツ、下着、靴下、ハンカチなどのセットを、曜日毎に一つの抽斗に収容しておいて、順次取り出すことが可能な、収容器に関するものである。
【背景技術】
【０００２】  従来の箪笥などが具備する抽斗は、前方向に引き出して、収容物の出し入れを行なうのが一般的である。従って、例えば洗濯した衣類などの出し入れには、引き出しの手前側の空間を用いる傾向が大きく、奥側に収容されているものは、使用されないで長期間放置されることがある。【０００３】  このような問題に対処するために、特許文献１には、前後に引き出すことが可能な抽斗を具備した箪笥が開示されている。この箪笥は、前記の問題点にある程度は対応しているが、一般に箪笥は壁の近傍に設置する据置型の家具であり、後方に抽斗を引き出すのは困難であるため、必ずしも十分な問題解決に至っていないと考えられる。【０００４】  また、一般に衣類は、下着、靴下などのセットで用いるので、これらをまとめて収容し、洗濯した順番に取出しができれは、利便性が大いに向上すると考えられる。また、複数のステップの部品組立工程を有する生産ラインにおいても、一つの組立工程で、部品が順次取り出せる収容器があれば、生産効率向上に寄与することは確実である。
【先行技術文献】
【特許文献】
【０００５】
【特許文献１】  特開２０００−１９７５３０号公報
【発明の概要】
【発明が解決しようとする課題】
【０００６】  従って、本発明の課題は、挿入した抽斗を挿入した順番に取り出すことが可能な、箪笥などの収容器を提供することである。
【課題を解決するための手段】
【０００７】  本発明は、前記の課題解決のため、抽斗の収容方法及び抽斗の挿入と引き出しを行うための構造を検討した結果なされたものである。【０００８】  即ち、上下方向に直接重ねられた３段以上の抽斗と、重ねられた状態の前記３段以上の抽斗の少なくとも上面、側面、背面及び正面を覆う筐体と備え、前記筐体は、その前面の上端部に一つの抽斗を出し入れ可能な第一の開口部と、その前面下端部に一つの抽斗を出し入れ可能な第二の開口部とを有し、最上段の抽斗及び最下段の抽斗を除く残りの抽斗の前面を覆うことを特徴とする収容器である。【０００９】  また、本発明は、前記筺体の少なくとも一つの側面の全面を開放することにより、収容し得る抽斗全数の出し入れが可能であることを特徴とする、前記の収容器である。【００１０】  前記３段以上の抽斗のそれぞれは、その側面の上端部に奥行き方向に延びる溝と、その側面の下端部に奥行き方向に延び且つ上段の抽斗の前記溝と嵌合する嵌合突起とを備えることを特徴とする、前記の収容器である。尚、溝と突起の配置は反対でも支障はない。
【発明の効果】
【００１１】  本発明の収容器は、上下方向に直接重ねられた３段以上の抽斗を収容することが可能な筺体と、前記筐体は、その前面の上端部に一つの抽斗を出し入れ可能な第一の開口部と、その前面下端部に一つの抽斗を出し入れ可能な第二の開口部とを有し、最上段の抽斗及び最下段の抽斗を除く残りの抽斗の前面を覆うことを特徴とする収容器である。よって、第二の開口部から抽斗を取り出すと、それに応じて、筺体内の上方に、抽斗を挿入する空間第一の開口部が確保される。【００１２】  従って、例えば衣類のセットを一つの抽斗に収納しておいて、上記のように順次、取り出しと挿入を行なうことにより、通常の箪笥の抽斗のように、奥側の方に使用されない衣類が長期間に亘って放置されることが極めて少なくなる。また、組み立ての生産ラインに適用することにより、必要な部品を順次取り出すことができるので、製造工程の合理化に寄与できる。
【図面の簡単な説明】
【００１３】
【図１】  本発明に係る収容器の一例を示す図で、図１（ａ）は全体の斜視図、図１（ｂ）は抽斗の斜視図。
【図２】  抽斗を直接重ねた状態の正面図。
【発明を実施するための形態】
【００１４】  次に本発明の実施の形態について、具体的な図に基づき、説明する。
【００１５】  図１は、本発明に係る収容器の一例を示す図で、図１（ａ）は全体の斜視図、図１（ｂ）は抽斗の斜視図である。また、図２は、抽斗を直接重ねた状態の正面図である。図１及び図２において、１は筺体、２は前面板、３は側面板、４は抽斗挿入用第一の開口部、５は抽斗引き出し用第二の開口部、６は抽斗、７は抽斗スライド用嵌合溝、８は抽斗スライド嵌合突起である。
【００１６】  図１に示したように、筺体１の内部には、上下方向に直接重ねられた状態で、３段以上の抽斗６を収容でき、前面板２の上端、下端に、それぞれ抽斗挿入用第一の開口部４と、抽斗引き出し用第二の開口部５が設けられている。また抽斗６には、抽斗スライド用嵌合溝７と抽斗スライド嵌合突起８が設けられているので、抽斗６を直接重ねられた状態で、左右方向にずれることなく、前後方向にスライドさせることが可能である。
【００１７】  筺体１と抽斗６を前記のような構造としているので、筺体１に収容可能な数の抽斗６、この場合では７箇の抽斗６を収容した状態で、抽斗引き出し用の第二の開口部５から、最下段の抽斗６を取り出すと、上段の抽斗６が自重で下方向に移動し、最上段の抽斗６が占めていた空間が開放され、抽斗挿入用第一の開口部４から、別の抽斗６を挿入することができる。従って、例えば、１日分の衣類のセットを、曜日毎に１週間分まとめて収容しておくことができるので、靴下などの使用頻度を平準化することできる。
【００１８】  なお、図１には特に示していないが、前面板２や側面板３を、蝶番のような回動可能な接合手段で、筺体１に取り付けておくことにより、前面や側面の全体を開放できるようにしておけば、必要に応じて収容されている抽斗６全部を出し入れして、掃除などの内部の保全作業を行なうことできる。さらに筺体１の底部にキャスターなどの移動補助手段を取り付けておくことにより、適宜押入れやクローゼットに収容しておくことができる。
【００１９】  以上に説明したように、本発明によれば、収容物を収容した順番に取り出すことが可能な収容器を提供することが可能となり、前記の衣類の他、日用品、製造工程に使用される部品などの、整理の合理化に寄与できる。なお、本発明は、前記実施の形態に限定されるものではなく、本発明の分野における通常の知識を有する者であれば想到し得る、各種変形、修正を含む要旨を逸脱しない範囲の設計変更があっても、本発明に含まれることは勿論である。
【符号の説明】
【００２０】１  筺体
２  前面板
３  側面板
４  抽斗挿入用第一の開口部
５  抽斗引き出し用第二の開口部
６  抽斗
７  抽斗スライド用嵌合溝
８  抽斗スライド嵌合突起
【図１】
2011104314.tif 000003
【図２】
2011104314.tif 000004